(57)【要約】      （修正有）【課題】調整機構が不要で、手首の姿勢を変えることなく先端の向きを変えて持つことができる把持部を有する道具を提供する。【解決手段】把持部を有する道具であって、把持部が、少なくとも２つの環状部材で構成され、２つの環状部材の各中心軸が概ね重なるとともに２つの環状部材の間に隙間６ａ、６ｂを有し、環状部材に少なくとも一本の指を挿通可能な開口部５ａ、５ｂを設け、隙間に少なくとも一本の指が挿通できることを特徴とする。【選択図】図２
0003223584.tif 000002
【実用新案登録請求の範囲】
【請求項１】
把持部を有する道具であって、
前記把持部が、少なくとも２つの環状部材で構成され、前記２つの環状部材の各中心軸が概ね重なるとともに前記２つの環状部材の間に隙間を有することを特徴とする道具。
【請求項２】
前記２つの環状部材の反道具側の端部に屈曲部を有し、前記屈曲部が前記隙間を小さくすることを特徴とする請求項１に記載の道具。
【請求項３】
前記２つの環状部材の反道具側の端部間をつなぐ梁を有することを特徴とする請求項１又は請求項２に記載の道具。
【請求項４】
前記環状部材に少なくとも一本の指を挿通可能な開口部を設けたことを特徴とする請求項１乃至請求項３のいずれかに記載の道具。
【請求項５】
前記隙間に少なくとも一本の指を挿通することを特徴とする請求項１乃至請求項４のいずれかに記載の道具。
【請求項６】
前記把持部が２つであることを特徴とする請求項１乃至請求項５のいずれかに記載の道具。
【請求項７】
前記道具が、ハサミ、鉗子、プライヤーであることを特徴とする請求項１乃至請求項６のいずれかに記載の道具。
【考案の詳細な説明】
【技術分野】
【０００１】
本考案は、把持部を有する道具に関するものであり、より詳細には、複数の向きから指を挿入できる立体構造を持つ把持部に関するものである。
【背景技術】
【０００２】
ハサミや鉗子、プライヤーなど２つある先端ではさむ道具の柄の形状は、輪があってこれらに指を通すか、あるいは棒状のものを握るかになっている。両方が輪の場合は先端の開閉を人間の指のみで行うことができるが、どちらかまたは両方が棒状の場合は、バネの反力によって先端を開き、それに打ち勝つ力を指によって発生して先端を閉じるものである。本考案はこのような道具の柄の形状に関するものである。
【０００３】
背景技術を列挙すると、特許文献１は外科用の剪刀の刃先および柄の部分を、剪刀が開いた時にできる面に対して角度を持たせたものである。特許文献２はプライヤーのような手工具で回動部を中心に本体が開くときにできる平面上において、指を通す２つの輪の位置を、回動部と向きを同じとする回転軸によって調整できる構造である。特許文献３は２つの輪のうち拇指の輪の位置を可変とした理髪鋏である。特許文献４は輪の部分等の形状を人の指の構造に合わせることで、より正確でシャープな剪断を可能にした剪刀である。特許文献５は右利き用ハサミの回動部に緩やかな突起を設けることでハサミを閉じる際に両側の刃を圧接させ、左利きでも使うことができるものである。
【先行技術文献】
【特許文献】
【０００４】
【特許文献１】特開２００８−２２８７７７号公報
【特許文献２】特表２０１７−５００１８１号公報
【特許文献３】公開実用新案平０２−０７５０７０号公報
【特許文献４】実用新案登録第３１３１４５８号公報
【特許文献５】特開２０１２−１６１４６２号公報
【考案の概要】
【考案が解決しようとする課題】
【０００５】
先行技術文献のいくつかは使いやすくするために輪の位置を変更したものであるが、特許文献１では輪からなる平面と直交する向きに、特許文献２は輪からなる平面上に、その変更が限定されている。特許文献３は摺動部とねじ止めの組合せによって、本体に対する２つの輪のそれぞれの位置を複数の向きに調整可能としているが、平行移動に限定されている。特許文献４は輪における指への接触面に角度を設けているが、本体と輪の相対的な位置関係は同一平面上に規定されている。なお、特許文献５は、輪の位置を変更できるものではない。
【０００６】
そして、背景技術では拇指、および示指、中指、薬指のいずれか、を挿入する輪は各１つに限定されており、その位置は、使用時は一通りの位置に限定される。すなわち持ち方が一通りに限定されるため、作業に必要とされる先端部の向きが様々に変わった場合、使用者はその都度手首や腕の姿勢を調整する負担が生じる。また輪の形状は左右手によらず一定か、もしくはどちらかに合わせて作られているため、使用する手によっては負担が大きくなったり痛みが発現したりする。
【０００７】
本考案は、上記課題に鑑みてなされたものであり、調整機構が不要で、手首の姿勢を変えることなく先端の向きを変えて持つことができる把持部を有する道具を提供することを目的とする。
【課題を解決するための手段】
【０００８】
本考案者らは、上記課題を解決するべく鋭意検討を行った結果、把持部を２つの環状部材で構成し、２つの環状部材の各中心軸が概ね重なるとともに２つの環状部材の間に隙間を設けるという簡単な構成で、調整機構が不要で、手首の姿勢を変えることなく先端の向きを変えて持つことができる把持部を有する道具を提供できることを見出し、本考案を完成するに至った。
【０００９】
そして、本考案の一観点によれば、把持部を有する道具であって、把持部が、少なくとも２つの環状部材で構成され、２つの環状部材の各中心軸が概ね重なるとともに２つの環状部材の間に隙間を有することを特徴とするものである。
【００１０】
さらに、２つの環状部材の反道具側の端部に屈曲部を有し、屈曲部が隙間を小さくすると望ましい。
【００１１】
さらに、２つの環状部材の反道具側の端部間をつなぐ梁を有すると望ましい。
【００１２】
さらに、環状部材に少なくとも一本の指を挿通可能な開口部を設けると望ましい。
【００１３】
さらに、隙間に少なくとも一本の指を挿通すると望ましい。
【００１４】
さらに、把持部が２つであると望ましい。
【００１５】
さらに、道具が、ハサミ、鉗子、プライヤーであると望ましい。
【考案の効果】
【００１６】
本考案によれば、把持部を２つの環状部材で構成し、２つの環状部材の各中心軸が概ね重なるとともに２つの環状部材の間に隙間を設けるという簡単な構成で、調整機構が不要で、手首の姿勢を変えることなく先端の向きを変えて持つことができる把持部を有する道具を提供できる利点がある。
【図面の簡単な説明】
【００１７】
【図１】実施形態に係る把持部を有する道具の三面図である。
【図２】実施形態に係る把持部を有する道具の斜め前図及び斜め後図である。
【図３】把持部を有する道具の各種使用形態を示す図である。（実施例１）
【図４】把持部の構成が異なる他の道具を示す図である。（実施例２）
【図５】把持部の構成が異なる他の道具を示す図である。（実施例３）
【考案を実施するための形態】
【００１８】
以下、本考案の実施形態について説明する。本考案の範囲はこれらの説明に拘束されることはなく、以下の例示以外についても、本考案の趣旨を損なわない範囲で適宜変更し実施することができる。
【００１９】
図１は、本考案の把持部を有する道具の三面図（平面図、正面図、側面図）である。図１に示すように、道具１はハサミであり、先端で物体をはさむとともに切断できる構成である。先端の開閉方法は、従来のハサミと同様であり、把持部（２〜６）に指を挿入して、人間の指のみで行うことができる。
【００２０】
図１のハサミにおいて、従来のハサミと異なる点は、把持部（２〜６）の構成である。把持部は、環状部材（２ａ及び２ｃ、２ｂ及び２ｄ）で構成され、一方の２つの環状部材（２ａ及び２ｃ）の開口部５ａの各中心軸は概ね重なるとともに２つの環状部材の間に隙間６ａを有する構成であり、他方の２つの環状部材（２ｂ及び２ｄ）の開口部５ｂの各中心軸も概ね重なるとともに２つの環状部材の間に隙間６ｂを有する構成である。また、一方及び他方の２つの環状部材の反道具側の端部に屈曲部４を有し、屈曲部４が隙間（６ａ及び６ｂ）を小さくする構成となっている。また、梁３は２つの環状部材の反道具側の端部間をつなぐ構成となっている。
【００２１】
なお、２つの環状部材の各中心軸が概ね重なる構成になっているが、ここで「概ね重なる」とは、完全に重なることはもちろんであるが、実質的に重なるとみなすことができる程度の誤差を含むことを意味する。より具体的には、例えば、開口部（５ａ、５ｂ）が略長方形の場合、長辺のプラスマイナス１０％程度の誤差は許容でき、略楕円の場合、長径のプラスマイナス１０％程度の誤差は許容できる。なお「概ね重なる」の用語については、本明細書の他の要素において用いられる場合も同様である。
【００２２】
また、本実施形態において屈曲部４は、隙間を小さくする機能を有する限りにおいて、形状は限定されるわけではないが、直線、楕円の一部、円形の一部であることが好ましい一例である。なお、梁３を設ける場合、屈曲部を設けなくてもよい。また、屈曲部を設けたことで、隙間が小さくなり、その隙間を指が通過しない限りにおいて、梁を設けなくてもよい。さらに、環状部材（２ａ及び２ｃ、２ｂ及び２ｄ）をそれぞれ略平行に設けたが、反道具側の端部の隙間が狭くなるように、すなわち、環状部材を非平行に設けることで、屈曲部及び梁の両方を設けなくてもよい利点がある。
【００２３】
図２は、本考案のハサミの斜め前図及び斜め後図である。開口部（５ａ、５ｂ）、隙間（６ａ、６ｂ）は、少なくとも一本の指を挿通可能なサイズである。
【００２４】
なお、本実施形態において、把持部を有する道具として、ハサミに関して説明したが、把持部を有する限りにおいて他の道具でもよく、鉗子、プライヤー等は好ましい一例である。
【００２５】
また、本実施形態において、２つの把持部（隙間６ａを有する把持部、及び、隙間６ｂを有する把持部）を有する構成に関して例示したが、くし、歯ブラシなど把持部が１つの道具に本考案の把持部を採用することも好ましい一例である。また、２つの把持部の一方に本考案の把持部を採用し、他方は従来の把持部を採用してもよい。
【実施例】
【００２６】
以下、本考案の実施例を説明する。ただし、本考案の実施例は、本実施例に限定されず、本実施例の用途や形状等を種々変形して実施することが可能である。
【００２７】
図３は、実施例１として把持部を有する道具（ハサミ）の各種使用形態を示す図である。（ａ）は、開口部（５ａ、５ｂ）から拇指・示指・中指を挿入する使用形態を示す。（ｂ）は、開口部（５ａ、５ｂ）から拇指・薬指・小指を挿入する使用形態を示す。（ｃ）、（ｄ）は、開口部（５ａ、５ｂ）から拇指・中指を挿入する使用形態を示す。（ｅ）は、ハサミに対して真横から拇指を挿入する使用形態を示す。（ｆ）は、ハサミに対して斜めに拇指を挿入する使用形態を示す。（ｇ）は、ハサミに対して平行に拇指を挿入する使用形態を示す。（ｈ）は、ハサミに直交する向きに指を挿入して持つ使用形態を示す。（ｉ）は、ハサミに平行する向きに指を挿入して持つ使用形態を示す。
【００２８】
以上、実施例１に示すように、２つの環状部材で構成され、２つの環状部材の各中心軸が概ね重なるとともに２つの環状部材の間に隙間を有する把持部を設けることで、手首の姿勢を変えることなく道具（ハサミ）の先端の向きを変えて持つことができる。また、調整機構が不要なため、持ち替えるときにその都度調整する必要がない。さらに、輪の形状は上下左右対称であるので、利き手に関係ない。また、様々な方法で指を挿入できるため、様々な持ち方と幅広い手の大きさに対応することが可能となる利点もある。
【００２９】
図４は、実施例２として把持部の構成が異なる他の道具を示す図である。各把持部を１本の針金で構成し、そのため梁は設けていない。そして、対向する屈曲部により形成された隙間の最小値は、指が通過しない値に設定する。
【００３０】
以上の実施例２の構成においても、１本の針金で等価的に２つの環状部材を構成し、２つの環状部材の各中心軸が概ね重なるとともに２つの環状部材の間に隙間を有する把持部を構成できる。そして、実施例１と同様の効果を有する。なお、対向する屈曲部により形成された隙間の最小値が、指が通過しない値に設定されているため、ハサミの刃先を開く際、指が隙間を通過して、把持部外に移動することを防止できる。
【００３１】
図５は、実施例３として把持部の構成が異なる他の道具を示す図である。２つの把持部のうち、一方の把持部は本考案の把持部であり、他方の把持部は１つの環状部材で構成された従来の把持部である。その他の構成は、実施例１と同様である。
【００３２】
以上の実施例３の構成においても、本考案の把持部である一方の把持部は、実施例１と同様の効果を有するとともに、他方の把持部は１つの環状部材で簡易に構成できるため、道具全体をコストダウンできる利点がある。
【産業上の利用可能性】
【００３３】
本考案は、調整機構が不要で、手首の姿勢を変えることなく先端の向きを変えて持つことができる把持部を有する道具として産業上の利用可能性がある。
【符号の説明】
【００３４】
１  道具（ハサミ）
２ａ、２ｂ、２ｃ、２ｄ  環状部材
３  梁
４  屈曲部
５ａ、５ｂ  開口部
６ａ、６ｂ  隙間
【図１】
0003223584.tif 000003
【図２】
0003223584.tif 000004
【図３】
0003223584.tif 000005
【図４】
0003223584.tif 000006
【図５】
0003223584.tif 000007